(57)【特許請求の範囲】
【請求項１】
３個以上の直線定規状部材を含み、該部材は平行な平面上を旋回可能に連結され、両端の部材が伸縮可能であるゴルフ練習器具。
【請求項２】
前記の旋回可能に連結する部分に、クラブフェースの向きを示すクラブヘッドの標識マークを取り外し可能に取り付けた、請求項１記載のゴルフ練習器具。
【請求項３】
ティーペックを差し込み可能とする孔明形状部分を備えた、請求項１または２に記載のゴルフ練習器具。
【請求項４】
スイングの正確度を判定する手段、および判定されたスイングの正確度を示す手段を備えた、請求項１から３のいずれか１項記載のゴルフ練習器具
【請求項５】
スイングの正確度を示す手段が、音または光による、請求項４記載のゴルフ練習器具。
【発明の詳細な説明】
【技術分野】
【０００１】
本発明はゴルフスウィングにおいてインパクト後の正しい軌道を誘導する練習器具であり、クラブフェースの変化する形態を明確に示すため、２箇所以上の連結部分を有する直線定規状の器具であり、その各部材は平行な平面上で旋回可能に連結され、クラブヘッドの軌道及びクラブフェースの向きの変化する形態を明確に示すことのできるゴルフ練習器具に関する。
【背景技術】
【０００２】
ゴルフ練習所の打球マットは長方形及びこれに白のセンターラインが入っているものである。一般ゴルファーはこのマットの形状、白の直線に惑わされスウィングの勘違いをし、これらが上達を阻む最大の要因であった。
【先行技術文献】
【特許文献】
【０００３】
【特許文献１】特開平7-328174
【特許文献２】特願2003-193205
【特許文献３】実用新案平1-119667
【特許文献４】公開実用昭和50-1064
【特許文献５】特開2015-77377
【発明の概要】
【発明が解決しようとする課題】
【０００４】
一般ゴルファーが打球マットの前に立ち、スウィングしようとする際、眼下のマットの形状、白のセンターラインが視界に入り、これをなぞるようにクラブヘッドを直線的に振ろうとする。すると一般ゴルファーの２大病といわれる悪癖に罹ってしまう。一つ目はボールを空高く打ち上げたい意識からのすくい打ち。二つ目は真っ直ぐ飛ばしたい意識からのグリップを真っ直ぐ出してしまう等の悪癖が身についてしまう。
【課題を解決するための手段】
【０００５】
本発明は、３個以上の直線定規状部材を含み、該部材は平行な平面上を旋回可能に連結され、両端の部材が伸縮可能であるゴルフ練習器具を提供する。直線定規状部材とは、薄く細長い長方形状の部材をいう。直線定規状部材の数は任意であるが、図面に示されているように、一般的には両端部を含めて６個程度が使用しやすいと思われる。それぞれの部材は、隣接する部材と平行な平面上を旋回可能に連結される。隣接する部材と平行な平面上を旋回可能とは、本発明の器具を設置した際に、隣接して連結される２つの部材の接地面に向く面が形成する２つの平行な平面上を、それぞれの部材が旋回可能であることをいう。
両端の部材は伸縮可能である。伸縮可能にするための構造例としては、たとえば両端の部材をスライド可能な２つの部材で作成し、必要に応じて１方の部材を引き出し、または収納することにより全体の長さを変えられるものが考えられる。また、さらなる部材を取り付けることもできる。
本発明のゴルフ練習器具には、２箇所以上の連結部分にクラブフェースの向きを示すクラブヘッドの標識マークを取り外し可能に取り付けることができる。
また本発明のゴルフ練習器具はティーペックを差し込み可能とする孔明形状部分を備えることができる。孔明形状部分にティーペックを差し込んで地面に固定することにより、コースで使用することができる。
本発明のゴルフ練習器具には、スイングの正確度を判定する手段、および判定されたスイングの正確度を示す手段を提供することができる。スイングの正確度は公知のセンサーを組み込み、スイング軌道を測定することにより評価することができる。またスイングの正確度を音または光により表示することができる。たとえば正確度に応じて音程を変えたり、色を変えたりすることができる。
【発明の効果】
【０００６】
本発明を用いて練習すれば段落０００４に記載された２大病に罹ることなく、ゴルフスウィングの最重要ポイントであるインパクト以後のヘッドの動き、フェースの変化する形態を会得できる。
【０００７】
本練習器具を用いてある程度スウィングを習得したら意図的なスライスボールが打てるようになる。図４にスライスボールを打つ際の設置方法を示す。また本練習器具を用いてある程度スウィングを習得したら意図的なフックボールが打てるようになる。図５にフックボールを打つ際の設置方法を示す。
【０００８】
一般ゴルファー特に女性には難しいとされているバンカーショットもスライスボールを打つ要領で脱出できる。図７にバンカーショットの際の設置方法を示す。
【図面の簡単な説明】
【０００９】
【図１】本発明器具の概略図
【図２】本発明器具の設置図
【図３】ストレートボールを打つ際の設置方法を示す図
【図４】スライスボールを打つ際の設置方法を示す図
【図５】フックボールを打つ際の設置方法を示す図
【図６】左利き用に設置した設置方法を示す図
【図７】バンカーショットの際の設置方法を示す図
【図８】良くないフォロースルーの鳥瞰図
【図９】推奨するフォロースルーの鳥瞰図
【発明を実施するための形態】
【００１０】
本発明ゴルフ練習器具は図１に示す直線定規状の形態で、連結部２、３および４により各複数の部材が平行な平面上を旋回可能に連結される。両端部材５および６は伸縮可能とされる。なおコースで使用する際に、芝生に安定させるため孔明形状部分１３を設けることができる。競技でなければゴルフコース内で本発明の器具を使用することもできる。また本器具は折りたたんでキャディバッグに入れて持ち運びが可能である。
【００１１】
図２は、本発明器具を打球マット１１と足マット１２を使用して本発明の器具を設置した図である。複数の直線定規形状部材が、図１の連結部２、３および４で旋回されて、所望の形で固定される。連結部２、３および４には、ヘッドのフェースの向きを示す標識マーク７、８および９を設置でき、ストレート、スライス、フックの所望の球筋に応じてそれぞれ角度を調整して固定できる。標識マークのフェースの向きは、たとえばラチェット構造又は磁石などの手段を用いて変えることができる。打球の際はヘッドの標識マークが示すフェースの向きに沿って振ることによりフォロースルーの指針とする。
【００１２】
本発明ゴルフ練習器具はスウィング形態又は使用クラブの番手に対応できる、その際は自由に動く連結部、たとえば図１の２、３および４に、クラブヘッドの標識マークを所望の角度に設置し、固定できる。
【００１３】
意図的なスライスボール、フックボールを打つ際には本器具の両端部材５および６を伸縮させて対応する。
【００１４】
スウィングの最重要ポイントである、インパクトからフォロースルーの個所に於いてクラブヘッド、フェースを如何に振るかを明確に示すため、標識マーク７、８、９がクラブヘッドの動態フェースの変化する様を示すように設置される。
【００１５】
図３はストレートボールを打つ際の設置方法を示す図である。ストレートボールを打つ際には本発明器具を打球マット、足マットに接続設置するが、立構えは左足１４、右足１５の位置を定め本器具の直線部分１を目標線１７と並行に置き、端部を伸ばして足マット１２の下に潜らせる。次に複数の旋回可能な部分にクラブヘッドの標識マーク７、８および９を設置する。可動部分に設置されたクラブヘッドの標識マーク７のフェースを本器具の直線部分１の長さ方向と平行に向ける。更に、各部材を旋回させてボール１０の先に本発明の器具の端部５を設置する。８の位置ではクラブフェースの向きを７に近くする、同じく９の位置ではフェースの向きを８に近くする。打球の際にはクラブヘッド１６をボール１０の後ろに置く、この際フェースは目標線１７に合わせる。次に足マット１２に左足１４、右足１５を立構え、クラブヘッドを振り上げ、振り下ろしインパクトではフェースが目標線と正対するように戻しその後は本器具が示している９，８のヘッド標識マーク、フェースの向きに沿って７の位置に達するよう振りぬく。
【００１６】
図４はスライスボールを打つ際の設置方法を示す図である。スライスボールを打つ際には本器具の設置方法がストレートボールとは若干変わる。本器具の直線部分１は目標線１７より左に向け足マット１２の下に潜らせる。次に可動部分ではクラブヘッドの標識マーク７のフェースを本器具の直線部分１の長さ方向と平行に向ける。次に各部材を旋回してボール１０の先に本器具を設置するが先端が少し離れるので端部５を伸ばしてこれに充てる。８の位置ではフェースの向きを７に近くし同じく９の位置では８に近くする。足の立構えは本器具の直線部分と同じくし、左足１４右足１５を左向き斜めに揃える。打球の際にはクラブフェースをストレートと同じく目標線１７に合わせ本器具のヘッドマーク、フェースに沿って振りぬけば意図するスライスボールが打てる。
【００１７】
図５はフックボールを打つ際の設置方法を示す図である。フックボールを打つ際には本器具の設置方法がスライスを打つ際とは逆となる。本器具の直線部分１は目標線１７と交わるよう右に向け足マット１２の下に潜らせる、その際端部６を伸ばしこれを安定させる。次に可動部分では設置した直線部分１の長さ方向と平行にクラブヘッドのフェースが向くように標識マーク７を置く。８の位置ではフェースの向きを７に近くし、同じく９の位置ではフェースの向きを８に近くする。足の立構えは本器具の直線部分１と同じくし左足１４右足１５を右向き斜めに揃える。打球の際にはクラブフェースを目標線１７に合わせ本器具のヘッドマーク、フェースに沿って振りぬけば意図するフックボールが打てる。
【００１８】
図６に、左利きのゴルファーの場合の設置方法を示す。右利きのゴルファーと逆向きの角度に設置し利用することができる。
【００１９】
本器具をコース内で使用する際は、本器具がスウィングの邪魔にならぬようボールから離し、芝生上で安定させるため孔明形状部分１３にティーペッグを差し込み固定する。
【００２０】
ゴルフコースでプレー中、樹木等が障害となって意図する方向に打てない場合、スライスボールを打つ要領で本器具を設置し、スウィングすれば意図的に右に曲がるボールで障害物をかわせる。
【００２１】
フックボールを打つ要領で本器具を設置し、スウィングすれば意図的に左に曲がるボールで障害物をかわせる。
【００２２】
図７にはバンカーショットの際の本器具の設置方法を示す。バンカー内で本器具を使用する際はスライスボールを打つ際の設置方法と同じだが、打球の際は離して本器具を設置する。クラブヘッド１６のフェース面はやや開いて構え左足１４右足１５の立ち構えは直線定規状１と同じ方向にとり本器具の示す方向及びヘッドマークの標識に沿って振りぬけばバンカーから脱出できる。
【００２３】
図８は一般ゴルファーの陥り易いヘッドの軌道とフェースのあまり変化しない良くないスウィングを示す。
【００２４】
図９は本器具の推奨通りにヘッドが振られフェースの変化する様を明示した良いスウィングを示す。
【００２５】
フォロースルーにおいてクラブヘッドが通過する正しい軌道を感知するためクラブヘッドの底面と本発明器具のヘッドマーク表面に、ネオジウム磁石磁性体と電動コイルを取り付け電子音を鳴らして判定させることができる。
【００２６】
フォロースルーにおいてクラブヘッドが通過する正しい軌道を感知するためクラブヘッドの底面と本発明器具のヘッドマーク表面に取り付けた受光装置と発光装置を取り付け発光により判定させることができる。なお、クラブ側の装置はネックなどのクラブの一部に取り付けることもできる。
【００２７】
請求項に記載の本発明器具を画像化し投影装置により随時随所で練習できる。
【符号の説明】
【００２８】
１：直線定規状部材
２，３，４：連結部分
５，６：両端部分
７，８，９：標識マーク
１０：ボール
１１：打球マット
１２：足マット
１３：孔明形状部分
１４：左の足位置
１５：右の足位置
１６：アドレス時のヘッドの位置
１７：意図する地点までの目標線及び飛球線
１８：バンカー
【要約】
【課題】  最適なスイング習得のための新規な練習器具の提供。
【解決手段】  本発明は、３個以上の直線定規状部材を含み、該部材は平行な平面上を旋回可能に連結され、両端の部材が伸縮可能であるゴルフ練習器具に関するものである。
【選択図】図２【図１】
0006031643.tif 000002
【図２】
0006031643.tif 000003
【図３】
0006031643.tif 000004
【図４】
0006031643.tif 000005
【図５】
0006031643.tif 000006
【図６】
0006031643.tif 000007
【図７】
0006031643.tif 000008
【図８】
0006031643.tif 000009
【図９】
0006031643.tif 000010